(57)【特許請求の範囲】
【請求項１】
表示画面上に情報を表示する表示部と、
テンキーを文字入力キーとして用いる操作部と、
制御部とを備え、
前記表示画面上に、入力情報を文字として表示する文字入力領域と、入力情報を数字として表示する数字入力領域とが設けられ、
前記制御部は、
前記表示部に待受画面が表示されている状態で前記操作部からの入力を受けて前記文字入力領域および前記数字入力領域にそれぞれ数字および文字を表示し、
利用するアプリケーションをユーザに提示して選択させ、
ユーザの選択に応じて当該アプリケーションを起動し、前記操作部から入力された情報を用いて当該アプリケーションを実行する際、
前記操作部の文字入力キーから入力を受けたとき、予め定められた条件に応じて数字入力か文字入力かを判断し、その判断結果に応じて前記文字入力領域または数字入力領域のいずれか一方をアクティブにし、前記アプリケーションの起動時にアクティブとなっている方の入力領域の情報を当該アプリケーションに利用する
携帯電話端末。
【請求項２】
前記文字入力領域および前記数字入力領域のいずれが現在アクティブとなっているかを表示画面上でユーザに知らしめる請求項１に記載の携帯電話端末。
【請求項３】
前記制御部は、前記判断結果にかかわらず、ユーザの指示操作に応じて文字入力と数字入力とを切り替える請求項１に記載の携帯電話端末。
【請求項４】
前記予め定められた条件は、前記文字入力領域において変換または確定の操作なしに仮名文字が予め定めた個数以上連続して入力されたとき、数字入力とすることである請求項１に記載の携帯電話端末。
【請求項５】
前記予め定めた個数をユーザが可変設定する手段をさらに備えた請求項４に記載の携帯電話端末。
【請求項６】
前記予め定められた条件は、変換または確定の操作なしにテンキーが予め定めた回数以上連続して操作されたとき数字入力とすることである請求項１に記載の携帯電話端末。
【請求項７】
前記予め定めた回数をユーザが可変設定する手段をさらに備えた請求項６に記載の携帯電話端末。
【請求項８】
前記制御部は、ユーザが利用するアプリケーションの指定を前記操作部のダイレクトキーの操作により受け付ける請求項１に記載の携帯電話端末。
【請求項９】
前記制御部は、ユーザが利用するアプリケーションの選択肢を含むメニューを表示し、このメニューからアプリケーションの指定を受け付ける請求項１に記載の携帯電話端末。
【発明の詳細な説明】
【技術分野】
【０００１】
本発明は、表示画面上に文字入力を行う機能を備えた情報処理装置および携帯電話端末に関する。
【背景技術】
【０００２】
携帯電話端末など、電話機能を主たる目的とする小型携帯端末において、一般的に装備されているテンキー（０〜９の数字と＊や＃の記号も含む）には、電話をかけるための番号を入力する目的以外に、さまざまなアプリケーションで文字を入力するための機能も割り当てられている。すなわち、各数字キーには、通常複数の仮名やアルファベットが割り当てられている。
【０００３】
従来の携帯電話端末の、いわゆる電源ＯＮ後のスタンバイ状態、すなわち待受画面においては、それら数字キーを操作した場合、電話機能を目的とした電話番号の入力や、数字にまつわる機能のみが割り当てられることが一般的であった。
【０００４】
これに対し、特許文献１には、携帯電話端末の待受画面において希望する電子メール送信先アドレスのキーワードに対応するテンキーの数字列を入力した後に所定の機能キー（Ｅメールキー）を押下することにより、該当する送信先を検索、抽出して表示する技術が開示されている。例えば、「鈴木花子」を検索したい場合、「す」「ず」「き」にそれぞれ対応する数字列“３”“３”“２”を入力すると、登録情報の中からそれらの数字キーの組み合わせに該当する「鈴木花子」「佐々木一郎」などが抽出され、候補として出力される。
【０００５】
また、非特許文献１には、携帯電話端末の待受画面上で文字を入力すると予測検索インタフェースが起動し、メニュー画面や各種アプリ、コンテンツ、通信オペレータが提供するネットワークコンテンツおよびサービスにすばやくアクセスできるようにするソフトウェアが開示されている。例えば、文字“Ｍ”と“Ａ”にそれぞれ割り当てられた数字“６”と“２”を入力したとき、Ｍａｉｌアプリケーション（メーラー）やＭａｐｐｉｎｇ（地図）アプリケーションが検索結果として表示され、ユーザは表示されたアプリケーションの中から所望のものを選択してそのアプリケーションを起動することができる。
【特許文献１】特開２００６−６０７６８号公報
【非特許文献１】「待受画面から文字入力で各種機能にアクセス−テジックの『Ｔ９ディスカバリーツール』」、［平成１９年８月１６日検索］、インターネット＜ＵＲＬ：ｈｔｔｐ：／／ｐｌｕｓｄ．ｉｔｍｅｄｉａ．ｃｏ．ｊｐ／ｍｏｂｉｌｅ／ａｒｔｉｃｌｅｓ／０７０２／１３／ｎｅｗｓ０７０．ｈｔｍｌ＞
【発明の開示】
【発明が解決しようとする課題】
【０００６】
上記特許文献１および非特許文献１に記載の技術は、いずれも初期画面としての待受画面において数字列を入力したときに、その数字列に該当する文字列に対応する登録情報やアプリケーションを検索出力することができる。
【０００７】
しかし、上記従来の技術は、登録情報やアプリケーション（または機能）を検索する目的のものであり、初期画面において直接的に任意の文字列を入力できるようにはなっていない。
【０００８】
最近の携帯電話端末において通話を行う場合、電話番号を手動で入力して発信を行うよりも、すでにアドレス帳に登録されている電話番号や、発信・着信履歴に残っている電話番号を用いて発信する場合が多くなっている。一方で、メールやＷｅｂなど、文字を多用するコミュニケーションツールの使用頻度が高まってきている。したがって、初期画面において任意の文字列を入力できれば操作性の改善が期待できる。
【０００９】
本発明はこのような背景においてなされたものであり、情報処理装置において文字入力を伴う機能の利用時の操作性を向上させることを企図する。また、携帯電話端末において数字入力の操作性を損なうことなく文字入力を伴う機能の利用時の操作性を向上させることを企図する。
【課題を解決するための手段】
【００１０】
本発明による情報処理装置は、表示画面上に情報を表示する表示部と、文字入力キーを含む操作部と、制御部とを備える。この制御部は、前記表示画面に初期画面が表示されている状態で前記操作部からの入力を受けて文字を表示し、文字を利用するアプリケーションをユーザに提示して選択させ、ユーザの選択に応じて当該アプリケーションを起動し、前記操作部から入力された文字を用いて当該アプリケーションを実行する。この構成により、ユーザは初期画面において操作部の操作によりいきなり文字を入力することができ、その後に提示されたアプリケーションの中から所望のアプリケーションを選択して、そのアプリケーションにその文字を利用することができる。
【００１１】
本発明による携帯電話端末は、表示画面上に情報を表示する表示部と、テンキーを文字入力キーとして用いる操作部と、制御部とを備える。この制御部は、前記表示部に待受画面が表示されている状態で前記操作部からの入力を受けて文字を表示し、利用するアプリケーションをユーザに提示して選択させ、ユーザの選択に応じて当該アプリケーションを起動し、前記操作部から入力された情報を用いて当該アプリケーションを実行する。
【００１２】
この携帯電話端末において、好ましくは、入力情報を文字として表示する文字入力領域と、入力情報を数字として表示する数字入力領域とを設け、前記制御部は、予め定められた条件に応じて数字入力か文字入力かを判断し、その判断結果に応じて前記文字入力領域または数字入力領域のいずれか一方をアクティブにし、前記アプリケーションの起動時にアクティブとなっている方の入力領域の情報を当該アプリケーションに利用する。
【００１３】
本発明の他の構成および作用効果は、以下に記載されるとおりである。
【発明の効果】
【００１４】
本発明によれば、従来、直接文字入力ができなかった初期画面において、ユーザはいきなり文字入力を行うことが可能となり、その文字を用いて所望のアプリケーションを起動することができる。その結果、文字入力を伴う機能の利用時の操作性が向上する。また、文字入力の使用頻度が高いユーザに対して、より少ない操作数で所望の機能を利用させることが可能となる。
【００１５】
さらに、携帯電話端末においてはその待受画面においてテンキーを操作した際に、数字の代わりに文字を表示する機能を実現し、電話以外の機能、すなわちメール作成やＷｅｂ検索など、携帯電話端末でよく使われる機能をすばやく利用できることができる。また、予め定められた条件に応じて数字入力をアクティブにすることにより、電話番号入力の操作性も損なわないようにすることができる。
【発明を実施するための最良の形態】
【００１６】
以下、本発明の好適な実施の形態について図面を参照しながら詳細に説明する。
【００１７】
図１は、本発明の情報処理装置１００の概略の構成を示したブロック図である。データ処理部１０１は、図示しないＣＰＵ（Central Processing Unit）等の制御装置を有し、各部の制御および必要なデータ処理を行う。文字入力部１１０は、テンキー（数字キー）や各種の制御キー等を含む操作部、またはキーボード等の操作部を有し、ユーザからの指示や情報の入力を受け付ける部位である。記憶部１２０は、データ処理部１０１のＣＰＵが実行するプログラムや各種データを記憶する記憶装置を有する。表示部１３０は、ＬＣＤや有機ＥＬ等の表示デバイスを含み、文字や画像等の各種情報を表示画面に表示してユーザに情報を提示する部位である。通信部１４０は、外部の装置との通信を行う部位であり、例えば、通話やインターネットとの接続機能を含む。
【００１８】
図２は、本発明の情報処理装置１００の一例としての携帯電話端末２００の外観を示している。この携帯電話端末２００は、いわゆる折り畳み型の携帯電話端末を示しているが、本発明は、ストレート型、スライド型等、端末の形態は特に問わない。この図では、折り畳み型の携帯端末の開放時の正面図を示している。
【００１９】
携帯電話端末２００は、ヒンジ部１８と、このヒンジ部１８で開閉可能に連結された上部筐体１４および下部筐体２５を有する。上部筐体１４の内側の面の上部にはスピーカ１２が配置され、内側の主要面には表示部１６（図１の表示部１３０に対応）が配置されている。
【００２０】
下部筐体２５の内側の面には、上部中央に回転動作可能な押圧スイッチであるジョグダイヤル２０、この両側端に左右キー２６ａ，２６ｂ、さらにその両側端にソフトキー１７ａ，１７ｂが配列されている。ジョグダイヤル２０および左右キー２６ａ，２６ｂの代わりに、いわゆる十字キーおよび決定キーの組み合わせを用いてもよい。これらの操作キーの下側には、通話キー２１、クリアキー２２、および電源キー／終話キー２３が配置されている。さらにその下側にはテンキー部２８（０〜９の数字と、＊や＃の記号も含む）（図１の文字入力部１１０に相当）が配置され、これらの下側にはメモキー３０およびマナーキー３１が配置されている。テンキー部２８の各々のキーには、複数の文字が割り当てられている。下部筐体２５の最下部にはマイク３２が配置されている。
【００２１】
これらの具体的な構成はあくまで説明のための例示であり、本発明はこれに限定されるものではない。
【００２２】
図３は、図２に示した携帯電話端末２００の概略のハードウェア構成を示すブロック図である。
【００２３】
携帯電話端末２００は、バス２１５で相互に接続された、制御部２０１、通信部２０３、表示部２０４、操作部２０５、記憶部２０６、音声処理部２１０、および、この音声処理部２１０に接続されたスピーカ２１１、マイク２１２を備えている。
【００２４】
制御部２０１は、図１のデータ処理部１０１に相当し、ＣＰＵ等を含み、携帯電話端末２００の各部を制御する。通信部２０３は、ＲＦ部、変復調回路等を含み、アンテナ２０２を介して基地局との間で、通話およびメールやＷＥＢデータ等のための無線通信を行う。
【００２５】
表示部２０４は、図２の表示部１６に相当し、上述したとおりである。
【００２６】
操作部２０５は、図１の文字入力部１１０に相当し、制御キー、テンキー等の各種のキーを有し、ユーザによる指示やデータの入力を受け付ける。
【００２７】
記憶部２０６は、図１の記憶部１２０に相当し、ＲＯＭ，ＲＡＭ等のメモリを含み、ＣＰＵが実行するＯＳや各種アプリケーション等のプログラムやデータを記憶する。ＲＯＭには、フラッシュメモリのような再書き込み可能な不揮発性メモリを含みうる。
【００２８】
音声処理部２１０は、音声のエンコーダ、デコーダ、ＤＡ変換器、ＡＤ変換器等を含み、スピーカ２１１（イヤホン含む）に対する音声出力およびマイクからの音声入力を行う。
【００２９】
その他、図示しないが、携帯電話端末２００は、電源部、発光部、バイブレータ、等、通常の携帯電話端末が備えている機能部を備えている。また、カメラ部、非接触ＩＣカード機能部をさらに備えてもよい。
【００３０】
以下、本実施の形態における動作例を説明する。本実施の形態では、アプリケーションにおいて文字を入力するためのキーとして使用されるキーを、待受画面において操作したとき目的のアプリケーションを起動する前に文字入力操作を行うことができ、入力した文字が画面上に表示される。
【００３１】
入力された文字は、さまざまなアプリケーションに利用することを可能とする。具体的には、以下のような例が挙げられる。
（ａ）入力された文字が待受画面に表示されている状態から、ユーザの１回の操作または所定の操作に応じてメール作成画面を呼び出す。そのメール作成画面の「本文」領域には当該入力された文字が自動的に埋め込まれている。ユーザは「件名」「宛先」を入力し、必要な添付ファイルを付加することで、通常と同じようにメール送信を行うことができる。本文の内容は編集することも可能である。
（ｂ）入力された文字が待受画面に表示されている状態から、ユーザの１回の操作または所定の操作によって、それらの文字を自動的に検索キーワードと認識し、予め指定されているＷｅｂ検索エンジンに接続し、検索結果をＷｅｂブラウザにて表示する。
（ｃ）入力された文字が待受画面に表示されている状態から、ユーザの１回の操作または所定の操作によって、それらの文字を自動的にキーワードと認識し、端末内にインストールされている辞書アプリケーションを呼び出すか、または予め指定されているオンライン辞書に接続して、キーワードに対する辞書検索結果を表示する。
【００３２】
その他に連携可能なアプリケーションの例としては、以下のようなものが挙げられる。
・ブログの編集と送信
・チャット機能
・メールや画像、音楽データなど、端末内のコンテンツ検索
・ユーザが使いたい機能やアプリケーション、設定メニューの検索
【００３３】
図４は本実施の携帯の第１の動作例を説明するための表示部２０４の画面遷移例を示している。図の例では携帯電話端末の表示画面を例として示しているが、第１の動作例は携帯電話端末に限らず、任意の情報処理装置に適用可能である。すなわち、その操作部はテンキーを文字入力に用いるものでなくてもよい。
【００３４】
画面Ｄ１１は、いわゆる電源ＯＮ後のスタンバイ状態、すなわち初期画面であり、携帯電話端末の場合、受信電波状態、電池残量、日時、等が表示されている。この状態で、ユーザが任意の数字キーを操作すると、画面Ｄ１２に移行する。画面Ｄ１２には、入力された文字が表示される文字入力領域４１と、変換候補が表示される変換候補表示領域４２とが設けられ、その数字キーの操作に応じて該当する文字（仮名）が文字入力領域４１内に表示される。また、その時点までの入力状況に応じた変換候補群が変換候補表示領域４２内に表示される。ソフトキー表示領域４３には、仮名漢字変換のための「通常変換」、入力文字を確定するための「確定」、仮名英数の切替を行うための「カナ英数」が表示されている。これらのソフトキーは、、図２のキー１７ａ，２０，１７ｂにそれぞれ対応している。ソフトキー「確定」が操作されると、画面Ｄ１３に移行する。この画面Ｄ１３では変換候補表示領域４２がなくなり、ソフトキー表示領域４３には、その時点までに文字入力領域４１に入力確定された文字列に対するアプリケーション機能（すなわちアクション候補）が表示される。図の例ではアクション候補として、電子メールを作成する「メール作成」、ソフトキー表示領域４３に挙げられたアクション以外のアクションの候補を提示するための「メニュー」、およびＷｅｂコンテンツを検索するための「Ｗｅｂ検索」が挙げられている。情報処理装置、特に携帯電話端末では「メール作成」や「Ｗｅｂ検索」のような操作については専用のハードウェアキーが設けられている場合があり、本実施の形態では、そのような機能についてはソフトキーではなく当該ハードウェアキーを操作しても同じ結果が得られる。本明細書では、ソフトキー、ハードウェアキーのいずれであっても、「メニュー」によらず、直接的に特定の機能を指定できる操作を「ダイレクトキー操作」と呼ぶ。
【００３５】
なお、「確定」操作の後もキー入力があれば、継続した文字入力が行える。
【００３６】
画面Ｄ１３で「メール作成」が選択されると、画面Ｄ１４に移行する。この画面Ｄ１４は、先の文字入力領域４１で確定された文字列を自動的に「本文」に入力した状態のメール作成画面であり、宛先や件名を追加入力することでメールの送信を行うことができる。
【００３７】
画面Ｄ１３で「メニュー」が選択されると、画面Ｄ１５へ移行する。画面Ｄ１５では、上記確定された文字列に対するアクション候補を提示するメニュー４５が表示される。図の例では、「オンライン辞書」「メモ帳保存」「ブログ送信」「コンテンツ検索」を例として挙げているが、これらに限るものではない。
【００３８】
画面Ｄ１５でメニュー４５から「オンライン辞書」が選択された場合、画面Ｄ１７へ移行する。この画面Ｄ１７でインターネット上の辞書検索サイトに接続し、上記確定入力文字列をキーワードとして、その翻訳を行うことができる。画面Ｄ１９は翻訳結果を示している。
【００３９】
画面Ｄ１３で「Ｗｅｂ検索」が選択されると、画面Ｄ１６に移行する。画面Ｄ１６では、上記確定入力文字列をキーワードとして、インターネットに接続し、関連するＷｅｂサイトの検索を行うことができる。画面Ｄ１８はその検索結果例を表した画面である。
【００４０】
図５は、図４に示した第１の動作例に対応する処理手順を示したフローチャートである。この処理は図１のデータ処理部１０１のソフトウェア処理により実現される。
【００４１】
端末の電源ＯＮ後、初期画面を表示する（Ｓ１１）。その後、ユーザによるキー入力を受け付ける（Ｓ１２）。キー入力があれば、画面Ｄ１２に示したような文字入力画面を表示する（Ｓ１３）。変換候補の選択または確定が行われたら（Ｓ１４）、画面Ｄ１３のような文字を確定した文字入力画面を表示する（Ｓ１５）。その後または確定前に、新たなキー入力があればＳ１２へ戻る。画面Ｄ１３では、上述したようにユーザが選択可能な機能に関するアクション候補が提示される。ダイレクトキー操作があった場合（Ｓ１６）、それが「メール作成」指示であれば、画面Ｄ１４に示したようなメール作成画面へ移行する（Ｓ１８）。「Ｗｅｂ検索」指示であれば、画面Ｄ１６に示したようなＷｅｂ検索接続画面へ移行する（Ｓ１９）。
【００４２】
「メニュー」指示が行われた場合には、画面Ｄ１５に示したようなメニュー画面が開かれる（Ｓ１７）。この画面から「オンライン辞書」が選択された場合には、画面Ｄ１７に示したようなオンライン辞書接続画面へ移行する（Ｓ２０）。「メモ帳保存」が選択された場合には、メモ帳画面（図示せず）へ移行する（Ｓ２１）。「ブログ送信」が選択された場合には、ブログサイト接続画面（図示せず）へ移行する（Ｓ２２）。「コンテンツ検索」が選択された場合には、データフォルダ検索画面（図示せず）へ移行する（Ｓ２３）。その他の機能が選択された場合には、その他の画面（図示せず）へ移行する（Ｓ２４）。
【００４３】
このように、本実施の形態によれば、情報処理装置１００は、初期画面においていきなり文字入力を受け付けて、その後に入力文字列に対するアクションを提示し、ユーザに選択させる。特に最近の携帯電話端末は多機能となり、目的の機能を選択するための操作が分かりにくい、という問題があったが、本発明では文字入力を伴う機能についてはとりあえず文字を入力することにより、利用可能な機能がソフトキー表示領域４３に提示されるので、操作が分かりやすく、また、提示される機能も文字入力を伴うものに限られるので選択肢の数も少なくなる。
【００４４】
図６は本実施の形態の第２の動作例を説明するための表示部２０４の画面遷移例を示している。この第２の動作例は携帯電話端末２００のような、テンキーを文字入力に併用する型の情報処理装置を前提としている。
【００４５】
この第２の動作例の表示画面には、文字入力領域と数字入力領域とを同時に設け、条件によって文字入力領域を優先したり、数字入力領域を優先したりする。例えば、文字または数字（番号）が同時に表示されている状態で、ユーザ操作により文字の変換候補が選択された場合、その操作は文字入力用途であると判定し、「文字入力領域」を優先してアクティブにすることができる。
【００４６】
一方、文字を入力した際、変換前の仮名の状態で入力された仮名文字数が所定数（例えば７文字）以上となった場合、該当する漢字候補や予測候補が存在しない場合が多い。したがって、通常、ユーザはより少ない仮名文字数が入力された段階で変換や確定の操作を行うことが多いと考えられる。逆に変換や確定の操作が行われることなく入力仮名文字数が当該所定数以上連続した場合には数字入力（すなわち電話番号入力）である蓋然性が高くなる。したがって、このような場合、当該操作は数字入力用途であると判定し、自動的に「数字入力領域」を優先してアクティブにする。
【００４７】
待受画面Ｄ２１は、上述したように、携帯電話端末２００の初期画面である。この状態で、ユーザが任意の数字キーを操作すると、画面Ｄ２２に移行する。ここでは、数字キー「７」を連続して５回操作し、ついで数字キー「３」を連続して２回操作した後、「＊」キーを１回操作した場合を示している。これは携帯電話端末において仮名文字列「もじ」を入力した場合に相当する。画面Ｄ２２には、上述した文字入力領域４１、変換候補表示領域４２およびソフトキー表示領域４３に加えて、数字入力領域（すなわち電話番号入力領域）４４が設けられている。本動作例では、文字入力領域４１と数字入力領域４４とは相補的に有効化（すなわちアクティブに）される。本例では初期的には文字入力領域４１が有効化される。ここに「有効化」または「アクティブ」とは入力された情報を利用するかどうかに関するものであり、当該領域の表示の更新についてではない。すなわち、有効化されていない領域でも入力領域の内容はキー入力に応じて更新される。図の例では、文字入力領域がアクティブとなっているが、数字入力領域には「７７７７７３３＊」と更新表示されている。有効化されている領域はフォーカス５１（図では領域を囲む枠表示）でユーザに知らしめられる。フォーカス５１の表示形態はこれは限るものではない。
【００４８】
この画面では、ソフトキー表示領域４３には画面Ｄ１２と同様、「通常変換」、「確定」、「カナ英数」が表示されている。
【００４９】
ソフトキー「確定」が操作されると、画面Ｄ２３に移行する。図の例では変換候補表示領域４２から特定の文字列を選択して「確定」を操作した場合も示している。この画面Ｄ２３では変換候補表示領域４２がなくなり、ソフトキー表示領域４３には、その時点までに文字入力領域４１に入力確定された文字列に対するアクション候補がソフトキー表示領域４３に表示される。図の例ではアクション候補として、「機能」、「メニュー」、「切り替え」を示している。
【００５０】
ここに「機能」は現在アクティブとなっている文字入力または数字入力に関連したサブメニューを表示するためのソフトキー表示である。「メニュー」は当該確定文字列に対するアクション候補のメニューである。
【００５１】
画面Ｄ２３で「メニュー」が選択されると、画面Ｄ２７へ移行する。画面２７では上記確定された文字列に対するアクションの候補を提示するメニュー４６を開いている。このメニュー４６内には「メール作成」および「Ｗｅｂ検索」も含まれている。上述のように、ハードウェアキーが存在する機能についてはソフトキーではなく当該ハードウェアキーを操作しても同じ結果が得られる。
【００５２】
画面Ｄ２７で「メール作成」が選択されると、画面Ｄ２８に移行する。この画面Ｄ２８は、先の文字入力領域４１で確定された文字列を「本文」に入力した状態のメール作成画面であり、宛先や件名を追加入力することでメールの送信を行うことができる。
【００５３】
画面Ｄ２３で「切り替え」が選択されると、数字入力領域４４が有効化される。すなわち、画面Ｄ２６に示すように、フォーカス５１が文字入力領域４１から数字入力領域４４へ移動する。また、この画面Ｄ２６では数字入力を有効化したことに伴い、ソフトキー表示領域４３の「メニュー」を「発信」に変更している。この「発信」の選択により、当該数字を電話番号とした発信操作が行える。画面Ｄ２６で「切り替え」操作が行われると、画面２３のような文字入力領域４１がアクティブの画面へ戻る。
【００５４】
次に、初期画面である画面Ｄ２１において、数字キー「０」「９」「０」「１」「２」がこの順次連続して操作された場合を考える。この場合、画面Ｄ２４に示すように、文字入力として解釈された場合の文字「わらわあか」が文字入力領域４１に表示される。他方、数字入力領域４４には「０９０１２」という数字が表示される。フォーカス５１は文字入力領域４１側に設定されている。ここで、さらに続けて数字キー「３」が入力されたとする。このとき、画面Ｄ２５に示すように、新たな仮名文字「さ」が入力文字列に追加されるとともに、数字「３」が数字入力領域４４に追加表示される。同時に、フォーカス５１が数字入力領域４４へ移動する。これは、本実施の形態の第２の動作例において、入力情報が予め定めた条件を満足したとき、自動的に、数字入力を有効化する、すなわちフォーカス５１を文字入力領域４１から数字入力領域４４へ移動させることとしているからである。
【００５５】
自動的に文字入力から数字入力に切り替える条件としては次のようなものが考えられる。
（１）文字入力領域４１に連続的に所定個数以上の文字列が入力された場合。所定個数は例えば７である。一般的にこのような個数の文字列が変換操作（確定操作を含む）なしに連続して入力されることは少ないと考えられるからである。「所定個数」は７に限るものではない。この「所定個数」をユーザが可変設定できるようにしてもよい。変換操作を行うまでの文字入力数は個々のユーザの嗜好やくせによって変わるので、可変設定できれば個々のユーザに合わせた好ましい設定が可能となる。
（２）数字キーが所定回数以上連続して操作された場合。所定回数は例えば１０回等である。一般的にこのような回数の数字キーが変換操作（確定操作を含む）なしに連続して入力されることは少ないと考えられるからである。但し、この「所定回数」も１０回に限るものではない。この「所定回数」をユーザが可変設定できるようにしてもよい。
（３）入力数字列が予め定められた緊急番号（日本国では１１０、１１９、１１８等）に該当する場合。但し、該当しなくなったら有効化を直ちに文字入力に戻す。例えば、入力数字列が「１１０」になった時点で自動的に文字入力から数字入力に切り替え、さらに次の数字が入力されて緊急番号に該当しなくなった時点で自動的に文字入力に戻す。
【００５６】
なお、画面Ｄ２５では６桁の数字で発信を行う例を示しているが、実際にはもっと多い桁数の入力の後、発信操作が行われることになる。また、画面Ｄ２６では「＊」を含めた数字列で発信を行う場合を示しているが、電話端末において「＊」の扱いがどのようになるかは端末による。ここではあくまで、文字入力から数字入力への切替の例を示したにすぎない。
【００５７】
図７は、図６に示した第２の動作例に対応する処理手順を示したフローチャートである。この処理は図３の制御部２０１のソフトウェア処理により実現される。
【００５８】
端末の電源ＯＮ後、初期画面を表示する（Ｓ３１）。その後、ユーザによるキー入力を受け付ける（Ｓ３２）。キー入力があったとき、数字入力であると判断できる上記のような所定条件が満たされたかどうかを判断する（Ｓ３３）。
【００５９】
所定条件が満たされなければ、画面Ｄ２２のような、文字変換候補表示を伴う文字・番号入力画面を表示する（Ｓ３４）。このときフォーカスは文字入力領域側に設定される。変換候補の選択または確定が行われたら（Ｓ３５）、画面Ｄ２３のような文字を確定した文字・番号入力画面を表示する（Ｓ３６）。その後または確定前に、新たなキー入力があればＳ３２へ戻る。画面Ｄ２３では、上述したようにユーザが選択可能な機能に関するアクション候補を提示するための「メニュー」がソフトキー表示領域に示される。「メニュー」が指示された場合には、画面Ｄ２７に示したようなメニュー画面が開かれる（Ｓ３７）。ユーザ操作により「メール作成」が選択された場合、メール作成画面へ移行する（Ｓ３８）。「Ｗｅｂ検索」が選択された場合、Ｗｅｂ検索接続画面へ移行する（Ｓ３９）。「オンライン辞書」が選択された場合には、オンライン辞書接続画面へ移行する（Ｓ４０）。「メモ帳保存」が選択された場合には、メモ帳画面へ移行する（Ｓ４１）。「ブログ送信」が選択された場合には、ブログサイト接続画面へ移行する（Ｓ４２）。「コンテンツ検索」が選択された場合には、データフォルダ検索画面へ移行する（Ｓ４３）。その他の機能が選択された場合には、その他の画面（図示せず）へ移行する（Ｓ４４）。
【００６０】
ステップＳ３６において文字入力領域がアクティブとなった文字・番号入力画面で「切り替え」操作が行われると（Ｓ５１）、数字入力領域がアクティブとなった文字・番号入力画面へ移行する。逆に数字入力領域がアクティブとなった文字・番号入力画面で「切り替え」操作が行われると（Ｓ５１）、文字入力領域がアクティブとなった文字・番号入力画面へ移行する。
【００６１】
ステップＳ３３において、数字入力である条件が満足された場合、数字入力領域をアクティブとした文字・番号入力画面（Ｄ２６）が表示される（Ｓ５２）。この画面で、「発信」操作がなされたとき（Ｓ５３）、電話発信画面に移行する（Ｓ５５）。「機能」が指示されたとき「アドレス帳登録」その他のサブメニューが開かれる（Ｓ５４）。「アドレス帳登録」が選択されたら、アドレス帳登録画面へ移行する（Ｓ５６）。その他の機能が選択されたら、その他の画面へ移行する（Ｓ５７）。
【００６２】
以上、本発明の好適な実施の形態について説明したが、上記で言及した以外にも種々の変形、変更を行うことが可能である。例えば、初期設定や設定メニューとして、文字入力を優先するモードを選択するか否かをユーザが定められるようにしてもよい。本発明はこのような所定のモードの設定を前提とするものであってもよい。
【図面の簡単な説明】
【００６３】
【図１】本発明による情報処理装置の概略の構成を示したブロック図である。
【図２】図１の情報処理装置の一例としての携帯電話端末の外観を示した図である。
【図３】図２に示した携帯電話端末の概略のハードウェア構成を示すブロック図である。
【図４】本発明の実施の形態における第１の動作例を説明するための表示部の画面遷移例を示した図である。
【図５】図４に示した第１の動作例に対応する処理手順を示したフローチャートである。
【図６】本発明の実施の形態における第２の動作例を説明するための表示部の画面遷移例を示した図である。
【図７】図６に示した第２の動作例に対応する処理手順を示したフローチャートである。
【符号の説明】
【００６４】
１２…スピーカ、１４…上部筐体、１６…表示部、１７ａ，１７ｂ…ソフトキー、２０…ジョグダイヤル、２１…通話キー、２２…クリアキー、２３…終話キー、２５…下部筐体、２６ａ，２６ｂ…左右キー、２７…画面、２８…テンキー部、３０…メモキー、３１…マナーキー、３２…マイク、４１…文字入力領域、４２…変換候補表示領域、４３…ソフトキー表示領域、４４…数字入力領域、４５…メニュー、４６…メニュー、５１…フォーカス、１００…情報処理装置、１０１…データ処理部、１１０…文字入力部、１２０…記憶部、１３０…表示部、１４０…通信部、２００…携帯電話端末、２０１…制御部、２０２…アンテナ、２０３…通信部、２０４…表示部、２０５…操作部、２０６…記憶部、２１０…音声処理部、２１１…スピーカ、２１２…マイク、２１５…バス
【図１】
0005184008.tif 000002
【図２】
0005184008.tif 000003
【図３】
0005184008.tif 000004
【図５】
0005184008.tif 000005
【図７】
0005184008.tif 000006
【図４】
0005184008.tif 000007
【図６】
0005184008.tif 000008